(57)【要約】      （修正有）【課題】ローコストかつ携帯しやすく、快適性を高めた帽子の構造を提供する。【解決手段】平板状弾性体であり、小さい円形のトップクラウン１１と大きい円形の底１２が同心円状に設けられ、底１２の周縁には鍔１３が広がり、該トップクラウン１１と底１２の間には螺旋放射状で等間隔に複数の裁断溝１６が設けられ、裁断溝１６に複数の弧形片１７が仕切られ、裁断溝１６によってトップクラウン１１が片側の弧形片１７を引っ張り、頭部に被せられる効果がある。【選択図】図１
0003182601.tif 000002
【実用新案登録請求の範囲】
【請求項１】
平板状弾性体の帽子であって、
該帽子は小さい円形のトップクラウンと大きい円形の底が同心円状に設けられ、該底の周縁には鍔が広がり、
該トップクラウンと底の間には螺旋放射状で等間隔に複数の裁断溝が設けられ、裁断溝に複数の弧形片が仕切られ、裁断溝によってトップクラウンが片側の弧形片を引っ張り、頭部に被せられることを特徴とする帽子の構造。
【請求項２】
該裁断溝は底の端に湾曲した半円溝が設けられ、半円溝によって裁断溝が底で裂ける状況を防ぐことを特徴とする請求項１に記載の帽子の構造。
【請求項３】
該底の両側には穿孔が設けられ、穿孔に通して顎紐がつけられることを特徴とする請求項１に記載の帽子の構造。
【考案の詳細な説明】
【技術分野】
【０００１】
本考案は帽子の構造に関し、特にローコストかつ携帯しやすい帽子に関する。
【背景技術】
【０００２】
従来の帽子の構造の多くは複数のパーツの縫い合わせ或いは編み込み式である。上記帽子はトップクラウンと底の間に中空突起部分が形成され、突起部分を使用者の頭部に被せられる。また、上記中空突起部分の裾周囲或いは部分周縁には鍔がつけられ、鍔によって日除け効果を奏する。さらに、異なる効用の付属品或いは装飾物などをデザインすることができる。しかし、従来の帽子の中空突起部分は固定形態であり、ソフトな材質で作られた帽子は畳むことができるが、畳んだ後でも部分が突起する状態になる。ハードな帽子は畳むことができないため、携帯しにくく、収納が不便であるという欠点がある。また、上記帽子の中空突起部分の多くは密閉状態であり、少数の帽子は通気性のために複数の通気孔が開けられるが、通気効果は依然として足りないため、従来の帽子は快適性が不足するという問題が残っている。また、従来の帽子は裁断と縫い合わせ或いは貼り合わせによって作られ、専用の技術工程或いは設備が必要であるため、高い製造コストと材料コストがかかる。または、上記帽子の中空突起部分は固定形態であるため、使用者の頭部のサイズによって適用できず、異なるサイズの選択ができるか或いはアジャスターが設計されるが、仕方なく使用するという状況がある。上述欠点は、本考案が解決しようとする課題である。
【０００３】
従って、本考案者は長年に関連商品の製造開発及びデザインに携わる経験によって、上述の目標について、デザインと研究を重ねた結果、実用性がある本考案を得た。
【考案の概要】
【考案が解決しようとする課題】
【０００４】
本考案は従来技術に存在する上述欠点が解決できる帽子の構造を提供する。
【課題を解決するための手段】
【０００５】
帽子は平板状弾性体であり、上記帽子は小さい円形のトップクラウンと大きい円形の底が同心円状に設けられ、底の周縁には鍔が広がり、上記底の両側には穿孔が設けられ、穿孔に通して顎紐がつけられる。上記トップクラウンと底の間には螺旋放射状で等間隔に複数の裁断溝が設けられ、裁断溝に複数の弧形片が仕切られ、裁断溝によってトップクラウンが片側に弧形片を引っ張ることができる。また、上記裁断溝は底の端に湾曲した半円溝が設けられ、半円溝によって裁断溝が底で裂ける状況を防ぐ。
【０００６】
本考案の主な目的は、上記帽子はトップクラウンと底の間に螺旋放射状に配列された裁断溝を作ることで、裁断溝によってトップクラウンが片側に弧形片を引っ張り、帽子が頭部に被せられる使用効果を奏し、かつ、帽子の生産コストを下げる効果を奏する。
本考案の他の目的は、上記帽子はトップクラウン、弧形片と底を畳むことができ、帽子が元の平板状に戻ることができ、携帯しやすく収納しやすい効果が得られる。
本考案のもう一つの目的は、上記トップクラウンは使用者の頭部の押し上げにより、弧形片はトップクラウンと底の間に伸ばされ、弧形片が伸ばされる過程で湾曲と反転を生じ、裁断溝に通気孔が形成され、帽子の快適性が高められる。
【０００７】
また、本考案のもう一つの目的は、上記帽子は弾性素材によって作られ、また上記帽子はトップクラウンと底の間に螺旋放射状で等間隔に複数の裁断溝が設けられることで、使用者が上記帽子を被る際、上記弧形片は使用者の頭部にフィットできるため、帽子のサイズが自動的に調整できる機能を持ち、帽子が異なるサイズの頭に対応でき、適用性が高められる。
その他の目的、利点及び本考案の斬新性は以下の詳細記述及び添付の図面に基づいて明らかにする。
【図面の簡単な説明】
【０００８】
【図１】図１は、本考案の立体図である。
【図２】図２は、本考案の弧形片が伸ばされた際の概略図(一)である。
【図３】図３は、本考案の弧形片が伸ばされた際の概略図(二)である。
【図４】図４は、本考案の別の使用状態の立体図である。
【図５】図５は、本考案が頭部に被られた際の概略図である。
【考案を実施するための形態】
【０００９】
以下に、本考案の目的、特徴及び効果をより理解、認識してもらうため、図面にあわせ、詳しく説明する。
まず、図１、図２、及び図３に示す帽子の構造を説明する。帽子（１０）は平板状弾性体であり小さい円形のトップクラウン（１１）と大きい円形の底（１２）が同心円状に設けられ、底（１２）周縁には鍔（１３）が広がり、また上記底（１２）の両側には穿孔（１４）が設けられ、穿孔（１４）に通して顎紐（１５）がつけられる。顎紐（１５）により頭部に被せられた際の安定性が高められる。また、上記トップクラウン（１１）と底（１２）の間には螺旋放射状で等間隔に複数の裁断溝（１６）が設けられ、裁断溝（１６）に複数の弧形片（１７）が仕切られ、裁断溝（１６）によってトップクラウン（１１）が片側に弧形片（１７）を引っ張り、帽子（１０）が頭部に被せられる。また、上記裁断溝（１６）は底（１２）の端に湾曲した半円溝（１６１）が設けられ、半円溝（１６１）によって裁断溝（１６）が底（１２）で裂ける状況を防ぐ。
【００１０】
実際に使用する際の効果は、図１から図５を参照しながら説明する。本考案の帽子（１０）は平板状弾性体によって作られ、上記帽子（１０）はトップクラウン（１１）と底（１２）の間に螺旋放射状に配列された裁断溝（１６）を作ることで、裁断溝（１６）によってトップクラウン（１１）が片側に弧形片（１７）を引っ張り、帽子（１０）が頭部に被せられる使用効果を奏し、それに帽子（１０）の生産コストを下げる効果がある。また、上記帽子（１０）の鍔（１３）は舌状または環状にデザインでき、キャップまたは丸い帽子等の形に構成できる。帽子（１０）が頭部に被せられた際、上記トップクラウン（１１）は使用者の頭部の押し上げにより、弧形片（１７）はトップクラウン（１１）と底（１２）の間に伸ばされ、弧形片（１７）が伸ばされる過程の中に湾曲と反転を生じ、裁断溝（１６）に通気孔が形成され、帽子（１０）の快適性が高められる。同時に、帽子（１０）は弾性素材によって作られ、また上記帽子（１０）はトップクラウン（１１）と底（１２）の間に螺旋放射状で等間隔に複数の裁断溝（１６）が設けられることで、使用者が上記帽子（１０）を被る際、上記弧形片（１７）は使用者の頭にフィットできるため、帽子（１０）のサイズが自動的に調整できる機能を持ち、帽子（１０）が異なるサイズの頭に対応でき、適用性が高められる。また、帽子（１０）を使用しない時に、上記帽子（１０）はトップクラウン（１１）、弧形片（１７）と底（１２）を畳むことができ、帽子（１０）が元の平板状に戻ることができ、携帯しやすく収納しやすい効果が得られる。
【００１１】
上記は、本考案の好適な実施例に過ぎず、本考案の範囲を制限するものではない。本考案の実用新案登録請求の範囲に従って行った様々な変更及び修正は、すべて本実用新案登録の範囲に含まれる。
【符号の説明】
【００１２】
１０  帽子
１１  トップクラウン
１２  底
１３  鍔
１４  穿孔
１５  顎紐
１６  裁断溝
１６１  半円溝
１７  弧形片
【図１】
0003182601.tif 000003
【図２】
0003182601.tif 000004
【図３】
0003182601.tif 000005
【図４】
0003182601.tif 000006
【図５】
0003182601.tif 000007